(57)【特許請求の範囲】
【請求項１】
金属ベース板と、
前記金属ベース板に接着され、回路パターンを有する複数の絶縁基板と、
前記回路パターンに実装された半導体素子と、
前記複数の絶縁基板と間隔を空けて対向し、前記絶縁基板と平行に配置されて搭載された制御基板と、
前記絶縁基板と前記制御基板との周囲を囲繞する枠体と、
前記複数の絶縁基板又は前記半導体素子の間を互いに接続する接続線を覆うと共に、前記絶縁基板と前記制御基板との間にわたって、熱伝導性樹脂が部分的に充填された熱伝導性樹脂部と、
前記絶縁基板と前記制御基板との間において、前記熱伝導性樹脂部を除く部分に前記熱伝導性樹脂と異なる第２樹脂が充填された樹脂封止部と
を備え
前記熱伝導性樹脂は第２樹脂よりも熱伝導率が高いことを特徴とする電力半導体装置。
【請求項２】
前記複数の絶縁基板又は前記半導体素子の間を接続する接続線の周囲を囲み、前記絶縁基板から前記制御基板にわたって設けられた第３樹脂からなる壁部をさらに有し、
前記壁部で囲まれた内部は熱伝導樹脂が充填されている前記熱伝導樹脂部からなり、前記壁部の外部は前記樹脂封止部からなり、前記壁部によって前記熱伝導樹脂部と前記樹脂封止部とを分離していることを特徴とする請求項１に記載の電力半導体装置。
【請求項３】
金属ベース板を準備する準備工程と、
回路パターンを有する複数の絶縁基板を前記金属ベース板に接着する接着工程と、
前記回路パターンに半導体素子を実装する実装工程と、
前記複数の絶縁基板又は前記半導体素子の間を接続する接続線を覆って熱伝導性樹脂を部分的に充填する熱伝導樹脂充填工程と、
制御基板を、前記絶縁基板と間隔を空けて対向させ、前記絶縁基板と平行に配置して搭載し、前記充填された熱伝導性樹脂を前記制御基板に当接させ、前記絶縁基板から前記制御基板にわたって充填された熱伝導性樹脂部を形成する制御基板搭載工程と、
前記制御基板と前記絶縁基板との間において、前記熱伝導性樹脂部を除く間隙に第２樹脂を充填し、樹脂封止部を形成する樹脂封止工程と
を含み、
前記熱伝導性樹脂は、前記第２樹脂よりも熱伝導率が高いことを特徴とする電力半導体装置の製造方法。
【請求項４】
前記熱伝導性樹脂充填工程において、さらに前記制御基板の裏面において、前記複数の絶縁基板又は前記半導体素子の間を接続する前記接続線と対向する箇所に熱伝導性樹脂を部分的に充填すると共に、
前記制御基板搭載工程において、前記絶縁基板及び前記制御基板の裏面にそれぞれ部分的に充填された熱伝導性樹脂とを互いに重ね合わせることを特徴とする請求項３に記載の電力半導体装置の製造方法。
【請求項５】
金属ベース板を準備する準備工程と、
回路パターンを有する複数の絶縁基板を前記金属ベース板に接着する接着工程と、
前記回路パターンに半導体素子を実装する実装工程と、
前記複数の絶縁基板又は前記半導体素子の間を互いに接続する接続線を囲んで第３樹脂からなる壁部を設ける壁部形成工程と、
制御基板を、前記絶縁基板と間隔を空けて対向させ、前記絶縁基板と平行に配置して搭載する制御基板搭載工程と、
前記絶縁基板と前記制御基板との間における前記壁部で囲まれた内部に熱伝導性樹脂を充填して熱伝導性樹脂部を形成する熱伝導性樹脂充填工程と、
前記制御基板と前記絶縁基板との間において、前記熱伝導性樹脂部を除く間隙に第２樹脂を充填し、樹脂封止部を形成する樹脂封止工程と
を含み、
前記熱伝導性樹脂は、前記第２樹脂よりも熱伝導率が高いことを特徴とする電力半導体装置の製造方法。
【請求項６】
前記熱伝導性樹脂充填工程において、前記制御基板上に設けられた孔から熱伝導性樹脂を充填することを特徴とする請求項５に記載の電力半導体装置の製造方法。
【請求項７】
前記熱伝導性樹脂充填工程において、前記金属ベース板の裏面に設けられた孔から熱伝導性樹脂を充填することを特徴とする請求項５に記載の電力半導体装置の製造方法。
【発明の詳細な説明】
【０００１】
【発明の属する技術分野】
本発明は、電力半導体素子を含む電力半導体装置に関する。
【０００２】
【従来の技術】
電力半導体装置は、通常、絶縁基板の回路パターン上に形成されたパワー部の上に制御基板が搭載されている。例えば、電力半導体装置は、金属ベース板の上に複数の絶縁基板が接着され、絶縁基板の表面には回路パターンが形成されている。この回路パターンの上に電力半導体素子が実装されており、それぞれの絶縁基板の間は、シャント抵抗やワイヤ等の接続線で接続されている。また、電力半導体素子を制御する制御基板は、絶縁基板と間隔を空けて対向し、絶縁基板と平行に配置して搭載されている。金属ベース板上には周囲を囲繞する枠体が設けられており、制御基板は、その周縁部で中継端子等によって枠体に固定されている。また、制御基板と絶縁基板との間の間隙にはシリコンゲル等が充填されている。
【０００３】
この電力半導体装置は、様々な用途に用いられており、自動車用部品としても用いられている。自動車内は密閉環境であるため、電力半導体装置も良好な放熱効果を有することが求められている。また、自動車用部品として、走行中の振動に耐えられるように耐振動性が求められている。
【０００４】
【発明が解決しようとする課題】
しかし、従来の電力半導体装置では、電力半導体素子自体の発熱が問題とされていた。また、それぞれの絶縁基板の回路パターンに跨って設けられたシャント抵抗やワイヤ等の接続線の周辺部では、接続線で発生した熱の拡散性が非常に悪く、放熱性が悪かった。また、制御基板上の電子部品の発熱による熱応力で制御基板がたわむため、制御基板と電子部品間を接合するはんだへの応力が生じ、はんだの寿命が短くなっていた。さらに、この電力半導体装置では、制御基板は周縁部で固定されているため、制御基板の中央部は振動による振幅量が大きくなっていた。
【０００５】
従来、電子回路装置等における放熱効果を改善する先行技術はいくつか存在している。例えば、特開昭６２−２５０６４８号公報には、高熱伝導性の樹脂で被ったフリップチップを有する混成集積回路装置が記載されている。また、特開平８−１６７６８０号公報には、モールドされた半導体電子部品と金属枠体との間に熱伝導性の良い樹脂を有する電子回路モジュールが記載されている。
【０００６】
しかし、上述の先行技術では電力半導体素子そのものを覆って放熱性を向上させているものの、絶縁基板の間の接続線についてはなんら考慮されていなかった。なお、高熱伝導性樹脂を狭い空間や凹凸が密集している箇所に充填した場合には未充填の箇所が生じて十分な熱伝導性が得られない場合がある。また、高熱伝導性樹脂は高価なため、全ての箇所に用いた場合には大きなコストアップにつながる。
【０００７】
そこで、本発明の第１の目的は、絶縁基板や半導体素子の間の接続線の周辺部における放熱効果を向上させるとともに、高価な熱伝導性樹脂の使用量を抑え、制御基板の電子部品からの放熱を効率的に行なってはんだの長寿命化を実現することである。また、第２の目的は、制御基板の振動を抑制することである。
【０００８】
【課題を解決するための手段】
本発明に係る電力半導体装置は、金属ベース板と、
前記金属ベース板に接着され、回路パターンを有する複数の絶縁基板と、
前記回路パターンに実装された半導体素子と、
前記複数の絶縁基板と間隔を空けて対向し、前記絶縁基板と平行に配置されて搭載された制御基板と、
前記絶縁基板と前記制御基板との周囲を囲繞する枠体と、
前記複数の絶縁基板又は前記半導体素子の間を接続する接続線を覆うと共に、前記絶縁基板と前記制御基板との間にわたって、熱伝導性樹脂が部分的に充填された熱伝導性樹脂部と、
前記絶縁基板と前記制御基板との間において、前記熱伝導性樹脂部を除く部分に前記熱伝導性樹脂と異なる第２樹脂が充填された樹脂封止部と
を備え
前記熱伝導性樹脂は第２樹脂よりも熱伝導率が高いことを特徴とする。
【０００９】
また、本発明に係る電力半導体装置は、前記電力半導体装置であって、前記複数の絶縁基板又は前記半導体素子の間を接続する接続線の周囲を囲み、前記絶縁基板から前記制御基板にわたって設けられた第３樹脂からなる壁部をさらに有し、
前記壁部で囲まれた内部は熱伝導樹脂が充填されている前記熱伝導樹脂部からなり、前記壁部の外部は前記樹脂封止部からなり、前記壁部によって前記熱伝導樹脂部と前記樹脂封止部とを分離していることを特徴とする。
【００１０】
本発明に係る電力半導体装置の製造方法は、金属ベース板を準備する準備工程と、
回路パターンを有する複数の絶縁基板を前記金属ベース板に接着する接着工程と、
前記回路パターンに半導体素子を実装する実装工程と、
前記複数の絶縁基板又は前記半導体素子の間を接続する接続線を覆って熱伝導性樹脂を部分的に充填する熱伝導樹脂充填工程と、
制御基板を、前記絶縁基板と間隔を空けて対向させ、前記絶縁基板と平行に配置して搭載し、前記充填された熱伝導性樹脂を前記制御基板に当接させ、前記絶縁基板から前記制御基板にわたって充填された熱伝導性樹脂部を形成する制御基板搭載工程と、
前記制御基板と前記絶縁基板との間において、前記熱伝導性樹脂部を除く間隙に第２樹脂を充填し、樹脂封止部を形成する樹脂封止工程と
を含み、
前記熱伝導性樹脂は、前記第２樹脂よりも熱伝導率が高いことを特徴とする。
【００１１】
また、本発明に係る電力半導体装置の製造方法は、前記電力半導体装置の製造方法であって、前記熱伝導性樹脂充填工程において、さらに前記制御基板の裏面において、前記複数の絶縁基板又は前記半導体素子の間を接続する前記接続線と対向する箇所に熱伝導性樹脂を部分的に充填すると共に、
前記制御基板搭載工程において、前記絶縁基板及び前記制御基板の裏面にそれぞれ部分的に充填された熱伝導性樹脂とを互いに重ね合わせることを特徴とする。
【００１２】
本発明に係る電力半導体装置の製造方法は、金属ベース板を準備する準備工程と、
回路パターンを有する複数の絶縁基板を前記金属ベース板に接着する接着工程と、
前記回路パターンに半導体素子を実装する実装工程と、
前記複数の絶縁基板又は前記半導体素子の間を接続する接続線を囲んで第３樹脂からなる壁部を設ける壁部形成工程と、
制御基板を、前記絶縁基板と間隔を空けて対向させ、前記絶縁基板と平行に配置して搭載する制御基板搭載工程と、
前記絶縁基板と前記制御基板との間における前記壁部で囲まれた内部に熱伝導性樹脂を充填して熱伝導性樹脂部を形成する熱伝導性樹脂充填工程と、
前記制御基板と前記絶縁基板との間において、前記熱伝導性樹脂部を除く間隙に第２樹脂を充填し、樹脂封止部を形成する樹脂封止工程と
を含み、
前記熱伝導性樹脂は、前記第２樹脂よりも熱伝導率が高いことを特徴とする。
【００１３】
また、本発明に係る電力半導体装置の製造方法は、前記電力半導体装置の製造方法であって、前記熱伝導性樹脂充填工程において、前記制御基板上に設けられた孔から熱伝導性樹脂を充填することを特徴とする。
【００１４】
さらに、本発明に係る電力半導体装置の製造方法は、前記電力半導体装置の製造方法であって、前記熱伝導性樹脂充填工程において、前記金属ベース板の裏面に設けられた孔から熱伝導性樹脂を充填することを特徴とする。
【００１５】
【発明の実施の形態】
本発明の実施の形態に係る電力用半導体装置について、添付図面を用いて以下に説明する。なお、実質的に同一の部材には同一の符号を付している。
【００１６】
実施の形態１．
本発明の実施の形態１に係る電力用半導体装置について、図１及び図２を用いて説明する。この電力半導体装置２０は、図１の（ａ）の平面図に示すように、矩形形状であり、上面には複数の主端子１３とベース板取付孔１８を備える。図１の（ｂ）は、図１の（ａ）におけるＡ−Ａ’線に沿った断面図である。この電力半導体装置は、図１の（ｂ）に示すように、絶縁基板２、３と制御基板９との間において、それぞれの絶縁基板３を接続するシャント抵抗５や、半導体素子１６、１７を接続するワイヤ６等の接続線を覆って制御基板９にわたって熱伝導性樹脂が部分的に充填された熱伝導性樹脂部７を備えることを特徴とする。シャント抵抗５やワイヤ６からこの熱伝導樹脂部７を介して放熱を行なうことができるので、シャント抵抗５やワイヤ６などの接続線の周辺部における放熱性を向上させることができる。なお、接続線としては、絶縁基板２、３間を接続するシャント抵抗５や、半導体素子１６、１７間を接続するワイヤ６の場合だけでなく、半導体素子と絶縁基板上の回路パターンとを接続する接続線であってもよい。
【００１７】
次に、この電力半導体装置２０の詳細な構成について図１の（ｂ）及び図２を用いて説明する。この電力半導体装置２０は、放熱用の金属ベース板１と、金属ベース板１に接着された複数の絶縁基板２、３と、絶縁基板２、３と間隔を空けて配置して搭載された制御基板９とを備えている。さらに、絶縁基板２、３は、裏面が金属ベース板１の主面に接着され、表面に回路パターンが形成されている。なお、絶縁基板２、３は、複数層で構成してもよく、あるいは図２の別の例に示すように一層で構成してもよい。この回路パターンには、電力半導体素子（ＩＧＢＴ）１６や半導体素子（ダイオード）１７が実装されており、それぞれの絶縁基板３は、シャント抵抗５やワイヤ６等の接続線で接続されている。また、制御基板９は、絶縁基板２、３と間隔を空けて対向し、該絶縁基板２、３と平行に配置されて搭載されている。この制御基板９は、電力半導体素子を制御する電子部品１１を実装したプリント基板等を用いることができる。さらに、絶縁基板２、３と制御基板９との周囲を囲繞する樹脂製の枠体４を備えている。なお、制御基板９は周縁部を中継端子１２で枠体４に固定されている。また、熱伝導性樹脂部７は、シャント抵抗５又はワイヤ６等の接続線を覆うと共に、絶縁基板２、３と制御基板９との間にわたって、熱伝導性樹脂が部分的に充填されている。この熱伝導性樹脂は、稠度が低く、高熱伝導性であることが好ましい。また、熱伝導性樹脂部７は制御基板９に接している。なお、絶縁基板２、３と制御基板９との間において、熱伝導性樹脂部７を除く部分には、熱伝導性樹脂と異なる第２樹脂としてシリコンゲルが充填された樹脂封止部８を有する。この場合、熱伝導性樹脂は、第２樹脂よりも熱伝導率が高い。なお、絶縁基板２、３上に形成された回路パターンに実装された電力半導体素子と、シャント抵抗５及びワイヤ６等の接続線を含む全体をパワー部ともいう。
【００１８】
さらに、この熱伝導樹脂部７に用いる熱伝導樹脂としては、従来用いられている絶縁封止材であるシリコンゲル（熱伝導率０．１６Ｗ／ｍＫ）よりも大きな熱伝導率を有する樹脂を用いる。例えば、高熱伝導ゲル（商品名：ＧＥＬＴＥＣ製）（熱伝導率６．１５Ｗ／ｍＫ）、グリス（Ｇ７６５（商品名）：信越化学）（熱伝導率２．９Ｗ／ｍＫ）、エポキシ樹脂（ＫＥ−８７０（商品名）：東芝ケミカル）（熱伝導率３．４Ｗ／ｍＫ）等を用いることができる。なお、上記樹脂は例示であって、これらに限定されるものではない。この熱伝導樹脂は、具体的には０．２Ｗ／ｍＫ以上の熱伝導率を有することがさらに好ましい。
【００１９】
この電力半導体装置２０は、上記のようにシャント抵抗５やワイヤ６等の接続線を覆っている熱伝導性樹脂部７を設けたことで、シャント抵抗５やワイヤ６等の接続線の周辺部からの放熱性を良好にすることができる。また、制御基板９の中央部においても熱伝導性樹脂部７で支持できるので、振動を抑制することができる。さらに、制御基板９の上面に搭載している電子部品１１からの熱を高熱伝導性樹脂７を介して放熱することができ、熱応力によるたわみを抑制し、電子部品１１と制御基板９間を接合するはんだを長寿命化することができる。上記に加えて、高熱伝導性樹脂７をシャント抵抗５やワイヤ６等の接続線の周辺部に部分的に充填することによって、必要箇所にのみ充填できるのでコスト低減につながる。また、高熱伝導性樹脂７を部分的に充填しているので、パワー部と制御基板９との間の全体に充填する場合に比べて、熱ストレスによる樹脂のクラックが生じにくい。
【００２０】
実施の形態２．
本発明の実施の形態２に係る電力用半導体装置の製造方法について、図３の（ａ）及び（ｂ）を用いて説明する。この電力半導体装置の製造方法は、実施の形態１に係る電力半導体装置についての複数の製造方法の中の１つである。この電力半導体装置の製造方法は、次の各工程によって行なわれる。
（１）金属ベース板１を準備する準備工程。
（２）表面に回路パターンを形成された複数の絶縁基板２、３の裏面を金属ベース板１の表面に接着する接着工程。
（３）回路パターンに電力半導体素子（ＩＧＢＴ）１６や半導体素子（ダイオード）１７を実装する実装工程。
（４）それぞれの絶縁基板３の間を接続するシャント抵抗５又はワイヤ６等の接続線を覆って熱伝導性樹脂を部分的に充填すると共に、制御基板９の裏面において、上記シャント抵抗５又はワイヤ６等の接続線と対向する箇所に熱伝導性樹脂を部分的に充填する熱伝導樹脂充填工程。この場合、稠度が低く、高熱伝導率を有する高熱伝導性樹脂を用いるのが好ましい。また、次の工程で絶縁基板２、３及び制御基板９のそれぞれに部分的に充填した熱伝導性樹脂が互いに重なり合うように位置合せをあらかじめ行なっておくのが好ましい。
（５）制御基板９を、絶縁基板２、３と間隔を空けて対向させ、絶縁基板２、３と平行に配置して搭載し、上記充填された熱伝導性樹脂を互いに重ね合わせることによって、絶縁基板２、３から制御基板９にわたって充填された熱伝導性樹脂部７を形成する制御基板搭載工程。
（６）制御基板９と絶縁基板２、３との間において、熱伝導性樹脂部７を除く間隙に第２樹脂を充填し、樹脂封止部８を形成する樹脂封止工程。なお、上記絶縁性樹脂には、第２樹脂よりも熱伝導率が高いものをあらかじめ用いる。
このように、絶縁基板２、３と制御基板の裏面のそれぞれに部分的に充填した樹脂部７を重ね合わせることによって、凹凸が密集している箇所や狭い箇所まで熱伝導性樹脂を流動させて充填することができる。その後、蓋１９を取り付けて電力半導体装置２０を完成させる。
【００２１】
実施の形態３．
本発明の実施の形態３に係る電力半導体装置の製造方法について、図４の（ａ）及び（ｂ）の断面図を用いて説明する。この電力半導体装置の製造方法は、実施の形態２における製造方法と比較すると、下部のパワー部側にのみ部分的に稠度の低い高熱伝導性樹脂を被覆しており、さらに、あらかじめ高熱伝導性樹脂を制御基板を搭載する高さよりも高く盛上げて充填している点で相違する。これによって制御基板を搭載した際に熱伝導性樹脂を制御基板に当接させることができる。また、制御基板で熱伝導性樹脂を抑えこむことで凹凸が密集している箇所や狭い箇所にまで樹脂を流動させることができる。
【００２２】
この電力半導体装置の製造方法は、上記実施の形態２に係る製造方法の各工程において、熱伝導性樹脂充填工程及び制御基板搭載工程を、以下の各工程によって行なっている。
（４ａ）それぞれの絶縁基板３の間を接続するシャント抵抗５又はワイヤ６等の接続線を覆って熱伝導性樹脂を部分的に充填する熱伝導樹脂充填工程。この場合に、あらかじめ高熱伝導性樹脂を制御基板９を搭載する高さよりも高く盛上げて充填している。
（５ａ）制御基板９を、絶縁基板２、３と間隔を空けて対向させ、絶縁基板２、３と平行に配置して搭載し、充填された熱伝導性樹脂を制御基板９に当接させ、絶縁基板２、３から制御基板９にわたって充填された熱伝導性樹脂部７を形成する制御基板搭載工程。
【００２３】
実施の形態４．
本発明の実施の形態４に係る電力半導体装置について、図５を用いて説明する。この電力半導体装置は、実施の形態１に係る電力半導体装置と比較すると、シャント抵抗５又はワイヤ６等の接続線の周囲を囲み、絶縁基板２、３から制御基板９にわたって設けられた第３樹脂からなる壁部１４をさらに有する点で相違する。また、この壁部１４で囲まれた内部は熱伝導樹脂が充填されている熱伝導樹脂部７からなり、壁部１４の外部は樹脂封止部８からなる。この壁部１４によって熱伝導樹脂部７と樹脂封止部８とを分離している点においても相違する。この壁部１４を設けたことによって熱伝導性樹脂の流動による位置ずれを抑制することができ、シャント抵抗５やワイヤ６等の接続線を熱伝導樹脂で確実に覆った熱伝導性樹脂部７を形成することができる。
【００２４】
実施の形態５．
本発明の実施の形態５に係る電力半導体装置の製造方法について、図６を用いて説明する。この電力半導体装置の製造方法は、実施の形態４に係る電力半導体装置の製造方法である。実施の形態２及び３に係る電力半導体装置の製造方法と比較すると、次の点で相違している。即ち、図６の断面図に示すように、シャント抵抗５又はワイヤ６等の接続線を囲んで第３樹脂からなる壁部１４を形成し、制御基板９を搭載した後に、壁部１４で囲まれた内部に熱伝導性樹脂を充填している点で、実施の形態２及び３に係る電力半導体装置の製造方法と相違する。これによって熱伝導性樹脂の流動による位置ずれを抑制することができる。
【００２５】
この電力半導体装置の製造方法は、次の各工程からなる。
（１）金属ベース板１を準備する準備工程。
（２）表面に回路パターンを形成された複数の絶縁基板２、３の裏面を金属ベース板１の表面に接着する接着工程。
（３）回路パターンに電力半導体素子（ＩＧＢＴ）１６や半導体素子（ダイオード）１７を実装する実装工程。
（４）それぞれの絶縁基板の間を接続するシャント抵抗５又はワイヤ６等の接続線を囲んで第３樹脂からなる壁部１４を設ける壁部形成工程。
（５）制御基板９を、絶縁基板２、３と間隔を空けて対向させ、絶縁基板２、３と平行に配置して搭載する制御基板搭載工程。
（６）絶縁基板２、３と制御基板９との間における壁部１４で囲まれた内部に、図６に示すように、制御基板９上に設けられた孔から熱伝導性樹脂をシリンジ１５によって充填して熱伝導性樹脂部７を形成する熱伝導性樹脂充填工程。なお、熱伝導性樹脂はシリンジ１５による充填に限られず、チューブ等によって充填してもよい。
（７）制御基板９と絶縁基板２、３との間において、熱伝導性樹脂部７を除く間隙に第２樹脂を充填し、樹脂封止部８を形成する樹脂封止工程。
このように、熱伝導樹脂をシリンジ１５によって充填することによって狭い箇所への充填を正確に行なうことができる。その後、蓋１９を取り付けて電力半導体装置を完成させる。
【００２６】
実施の形態６．
本発明の実施の形態６に係る電力半導体装置の製造方法について、図７を用いて説明する。この電力半導体装置の製造方法は、実施の形態５に係る電力半導体装置の製造方法と比較すると、図７の断面図に示すように、金属ベース板１の裏面に設けた孔から熱伝導性樹脂をシリンジ１５で充填している点で相違する。この電力半導体装置の製造方法によれば、制御基板９側に孔を設けることができない場合にも高熱伝導性樹脂をシリンジ１５で充填することができる。なお、熱導電性樹脂を充填した後、金属ベース板１の孔はネジ締め等によって塞いでおく。孔を塞ぐ手段としてはネジ締めに限られない。
【００２７】
【発明の効果】
本発明に係る電力半導体装置によれば、それぞれの絶縁基板又は半導体素子の間を接続するシャント抵抗やワイヤ等の接続線を覆って熱伝導性樹脂が部分的に充填されている熱伝導性樹脂部を設けたことで、シャント抵抗やワイヤ等の接続線からの放熱性を向上させることができる。また、制御基板の中央部においても熱伝導性樹脂部によって支持できるので、振動を抑制することができる。さらに、制御基板の上面に搭載している電子部品からの熱を高熱伝導性樹脂を介して放熱することができ、熱応力によるたわみを抑制し、電子部品と制御基板間を接合するはんだを長寿命化することができる。また、上記に加えて、高熱伝導性樹脂をシャント抵抗やワイヤ等の接続線の周辺部に部分的に充填することによって、必要箇所にのみ充填できるのでコスト低減につながる。また、高熱伝導性樹脂を部分的に充填しているので、パワー部と制御基板との間の全体に充填する場合に比べて、熱ストレスによる樹脂のクラックが生じにくくできる。
【００２８】
また、本発明に係る電力半導体装置によれば、シャント抵抗又はワイヤ等の接続線の周囲を囲み、絶縁基板から制御基板にわたって設けられた第３樹脂からなる壁部をさらに有する。この壁部によって熱伝導樹脂部と樹脂封止部とを分離している。この壁部を設けたことによって熱伝導性樹脂の流動による位置ずれを抑制することができ、シャント抵抗やワイヤ等の接続線を確実に覆った熱伝導性樹脂部を形成することができる。
【００２９】
本発明に係る電力半導体装置の製造方法によれば、複数の絶縁基板又は半導体素子の間を接続するシャント抵抗やワイヤ等の接続線を覆って絶縁基板から制御基板にわたって熱伝導性樹脂を部分的に充填している。これによってシャント抵抗やワイヤ等の接続線の周辺部からの放熱性を良好にしている。
【００３０】
また、本発明に係る電力半導体装置の製造方法によれば、それぞれの絶縁基板又は半導体素子の間を接続するシャント抵抗やワイヤ等の接続線を覆って熱伝導性樹脂を部分的に充填すると共に、制御基板の裏面において、上記シャント抵抗やワイヤ等の接続線と対向する箇所に熱伝導性樹脂を部分的に充填している。その後、制御基板搭載時にそれぞれ充填された樹脂を重ね合わせることによって、凹凸が密集している箇所や狭い箇所まで熱伝導性樹脂を流動させて充填することができる。
【００３１】
本発明に係る電力半導体装置の製造方法によれば、シャント抵抗又はワイヤ等の接続線を囲んで第３樹脂からなる壁部を形成し、制御基板を搭載した後に、熱伝導性樹脂を壁部で囲まれた内部に充填している。これによって熱伝導性樹脂の流動による位置ずれを抑制することができる。
【００３２】
また、本発明に係る電力半導体装置の製造方法によれば、制御基板側に孔を設け熱伝導樹脂を充填することによって壁部で囲まれた内部に熱伝導性樹脂を充填することができる。
【００３３】
さらに、本発明に係る電力半導体装置の製造方法によれば、制御基板側に孔を設けることができない場合にも金属ベース板の裏面の孔から熱伝導性樹脂を充填することができる。
【図面の簡単な説明】
【図１】  （ａ）は、本発明の実施の形態１に係る電力半導体装置の平面図であり、（ｂ）は、（ａ）のＡ−Ａ’線に沿った断面図である。
【図２】  本発明の実施の形態１に係る電力半導体装置の別の例の内部構造を示す断面図である。
【図３】  （ａ）は、本発明の実施の形態２に係る電力半導体装置の製造方法においてパワー部にプリント基板を搭載する前の様子を示す断面図であり、（ｂ）は、プリント基板搭載後の様子を示す断面図である。
【図４】  （ａ）は、本発明の実施の形態３に係る電力半導体装置の製造方法においてパワー部にプリント基板を搭載する前の様子を示す断面図であり、（ｂ）は、プリント基板搭載後の様子を示す断面図である。
【図５】  本発明の実施の形態４に係る電力半導体装置の内部構造を示す断面図である。
【図６】  本発明の実施の形態５に係る電力半導体装置の製造方法においてプリント基板搭載後、プリント基板に設けた穴から高熱伝導性樹脂をシリンジ充填する様子を示す断面図である。
【図７】  本発明の実施の形態６に係る電力半導体装置の製造方法においてプリント基板搭載後、ベース板の裏面に設けた穴から高熱伝導性樹脂をシリンジ充填する様子を示す断面図である。
【符号の説明】
１  ベース板、２、３  絶縁基板、４  枠体、５  シャント抵抗、６  アルミワイヤ、７  熱伝導性樹脂、８  シリコンゲル（第２樹脂）、９  プリント基板、１１  電子部品、１２  中継端子、１３  主端子、１４  壁部（第３樹脂）、１５  シリンジ、１６  半導体素子（ＩＧＢＴ）、１７  半導体素子（ダイオード）、１８  ベース板取付孔、１９  蓋、２０、２０ａ  電力半導体装置
【図１】
0003764687.tif 000002
【図２】
0003764687.tif 000003
【図３】
0003764687.tif 000004
【図４】
0003764687.tif 000005
【図５】
0003764687.tif 000006
【図６】
0003764687.tif 000007
【図７】
0003764687.tif 000008